(57)【要約】      （修正有）【課題】安全で便利な、配電設備の三相交流の各相間電圧、接地間電圧測定用のマルチテスター型電圧計を提供する。【解決手段】計測対象の三相交流電圧のＲＳＴの各相と接地側とに電線をそれぞれ接続するための差込口２を備えたＲ相、Ｓ相、Ｔ相、接地用の４個の入力端子Ｒ、Ｓ、Ｔ、Ｅをケーシング４に設ける。ケーシング内に格納された計測部は、ＣＰＵ８の制御により、入力端子Ｒ、Ｓ、Ｔ、Ｅから入力された入力信号に基づいて、三相交流のＲ−Ｓ相間電圧、Ｓ−Ｔ相間電圧、Ｔ−Ｒ相間電圧、Ｒ−Ｅ対地間電圧、Ｓ−Ｅ対地間電圧、Ｔ−Ｅ対地間電圧を計測する。ケーシングには計測部を操作するためのキーパッド１４が設けられ、計測部にはメモリ部２０と、表示器１８が接続されている。【選択図】図１
0003200830.tif 000002
【実用新案登録請求の範囲】
【請求項１】
ケージングと、計測対象の三相交流電圧のＲＳＴの各相と接地側とに電線をそれぞれ接続するためのケーシングに設けられたＲ相、Ｓ相、Ｔ相接地用の４個の入力端子（Ｒ）（Ｓ）（Ｔ）（Ｅ）と、前記入力端子（Ｒ）（Ｓ）（Ｔ）（Ｅ）から入力された入力信号に基づいて、前記三相交流のＲ−Ｓ相間電圧、Ｓ−Ｔ相間電圧、Ｔ−Ｒ相間電圧、Ｒ−Ｅ対地間電圧、Ｓ−Ｅ対地間電圧、Ｔ−Ｅ対地間電圧を計測するための前記ケーシングに格納された計測部と、前記計測部を制御するための前記ケーシングに格納されたＣＰＵと、前記計測部を操作するための前記ケーシングに設けられたキーパッドと、前記計測部に接続するメモリ部と、前記計測部に接続する前記ケーシングに設けられた表示器とから成ることを特徴とするマルチテスター型電圧計。
【請求項２】
前記計測部に検相器を接続し、該検相器を前記ケーシングに格納したことを特徴とする請求項１に記載のマルチテスター型電圧計。
【請求項３】
前記メモリ部にＵＳＢポート及び／又はＳＤカードスロットを接続したことを特徴とする請求項１に記載のマルチテスター型電圧計。
【請求項４】
前記ケーシングにテスターを格納し、該テスターを前記計測部に接続したことを特徴とする請求項１に記載のマルチテスター型電圧計。
【考案の詳細な説明】
【技術分野】
【０００１】
本考案は、配電設備の三相交流電圧の各相間電圧、接地間電圧を測定するためのマルチテスター型電圧計に関する。
【背景技術】
【０００２】
現状では、電気設備の幹線等の電圧測定にテスターを用いている。この場合、三相交流電圧の各相間電圧、接地間を測定するのに６回の手順が必要である。また、動力回路においては、検相器にて確認する必要がある。
【考案の概要】
【考案が解決しようとする課題】
【０００３】
電気設備の三相交流電圧の各相間電圧、接地間電圧の測定、検相器での確認に当たっては、作業者の充電部への近接が必至であり、感電災害のリスクが伴う。
本考案の目的は、３度の手順のみで、相間電圧、接地間、電圧、検相が可能な電圧計を提供することであり、これにより感電災害のリスクを低減することである。
また、本考案は、短時間での測定が可能な電圧計を提供することを目的とする。
また、本考案は、測定データの保存機能を備えた記録の管理に便利な電圧計を提供することを目的とするものである。
【課題を解決するための手段】
【０００４】
上記目的を達成するため、本考案は、ケージングと、計測対象の三相交流電圧のＲＳＴの各相と接地側とに電線をそれぞれ接続するためのケーシングに設けられたＲ相、Ｓ相、Ｔ相接地用の４個の入力端子（Ｒ）（Ｓ）（Ｔ）（Ｅ）と、前記入力端子（Ｒ）（Ｓ）（Ｔ）（Ｅ）から入力された入力信号に基づいて、前記三相交流のＲ−Ｓ相間電圧、Ｓ−Ｔ相間電圧、Ｔ−Ｒ相間電圧、Ｒ−Ｅ対地間電圧、Ｓ−Ｅ対地間電圧、Ｔ−Ｅ対地間電圧を計測するための前記ケーシングに格納された計測部と、前記計測部を制御するための前記ケーシングに格納されたＣＰＵと、前記計測部を操作するための前記ケーシングに設けられたキーパッドと、前記計測部に接続するメモリ部と、前記計測部に接続する前記ケーシングに設けられた表示器とから成ることを特徴とする。
また本発明は、前記計測部に検相器を接続し、該検相器を前記ケーシングに格納したことを特徴とする。
また本考案は、前記メモリ部にＵＳＢポート及び／又はＳＤカードスロットを接続し、ＵＳＢポートにてＰＣと接続し、データの転送等を可能としたことを特徴とする。
また本発明は、前記ケーシングにテスターを格納し、該テスターを前記計測部に接続したことを特徴とする。
【考案の効果】
【０００５】
本考案は、３度の手順で、相間電圧、接地間の電圧測定が可能であり、感電災害のリスクを低減することができる。また、３度の手順で、相間電圧、接地間電圧の測定に加えて、電圧、検相が可能となり、感電災害のリスクが低減でき、また、短時間にて電圧の測定が可能である。さらに、本体に測定データを保存できるので、現場での記録等の必要がなく、後で記録の整理が可能である。
【図面の簡単な説明】
【０００６】
【図１】本考案のブロック説明図である。
【図２】本考案に係るマルチテスター型電圧計の正面図である。
【図３】マルチテスター型電圧計のケーシングのＡ−Ａ’矢方向からみた側面図である。
【図４】マルチテスター型電圧計のケーシングのＢ−Ｂ’矢方向からみた側面図である。
【考案を実施するための形態】
【０００７】
以下に本考案の構成を添付した図面を参照して詳細に説明する。
図１において、Ｒ、Ｓ、Ｔは電気設備（図示省略）側の測定される三相交流電圧のＲ相、Ｓ相、Ｔ相がそれぞれ接続される入力端子で、Ｅは接地用の端子であり、それぞれ測定用ジャック２により構成され、各測定用ジャック２は、図２に示すように、電圧計のケーシング４の面板に開口している。入力端子Ｒ、Ｓ、Ｔ、と接地端子Ｅは、計測部６とテスター２２に接続されている。
【０００８】
計測部６は、ＣＰＵ８の制御により、入力端子Ｒ、Ｓ、Ｔ、Ｅからの入力に基づいて相間電圧Ｒ−Ｓ、Ｓ−Ｔ、Ｔ−Ｒと、接地間電圧Ｒ−Ｅ、Ｓ−Ｅ、Ｔ−Ｅの計測を行うことができるように構成されている。計測部６には、該計測部を操作するための操作部であるキーパッド１４が接続されている。また、計測部６には、検相器１６、ＬＣＤ表示器１８、メモリ部２０、テスター２２、検電器３４が接続されている。
【０００９】
メモリ部２０は、ＳＤカード読み取り書き込み器用のカードスロット２４とＵＳＢメモリ読み取り書き込み用のＵＳＢポート２６が接続されている。また、計測部６には、液晶表示器から成る表示器１８が接続している。前記計測部６、ＣＰＵ８、キーパッド１４、検相器１６、ＬＣＤ表示器１８、メモリ部２０、テスター２２の各回路はケーシング４の中に格納されている。ケーシング４の面板には、キーパッド１４、液晶ＬＣＤ表示器１８の表示面１８ａ、検相器１６の表示面１６ａ、検電器表示灯３４ａが配備されている。
【００１０】
操作者は、ケーシング４の面板に配備されたキーパッド１４を操作して、各種のデータをＣＰＵ８に入力することができるようになっている。なお図中、符号１４ａは電源スイッチ、２８はストラップ取付穴である。
【００１１】
次に、本実施形態の作用について説明する。
配電設備の幹線の各相間電圧、接地間電圧を測定する場合には、まず、Ｒ相、Ｓ相、Ｔ相の各入力端子Ｒ、Ｓ、Ｔに対応するプラグを測定用ジャック２に差し込み、プラグの接触部を配電設備側のＲ相、Ｓ相、Ｔ相の各電線の充電部に接続し、更に接地用端子Ｅに差し込んだプラグの接触部を配電設備側に接地する。
【００１２】
これにより、配電設備の三相交流電圧の相間電圧と、接地間電圧が入力端子Ｒ、Ｓ、Ｔ、Ｅを通じて計測部６に入力される。計測部６は、これらの入力電圧とキーパッド１４の信号に基づいて、Ｒ−Ｓ相間電圧、Ｓ−Ｔ相間電圧、Ｔ−Ｒ相間電圧、Ｒ−Ｅ接地間電圧、Ｓ−Ｅ接地間電圧、Ｔ−Ｅ接地間電圧を計測する。
【００１３】
操作者が、キーパッド１４を相間電圧側接点に切り替え、キーパッド１４の測定用釦を操作することで、表示面１８ａにＲ−Ｓ相間電圧、Ｓ−Ｔ相間電圧、Ｔ−Ｒ相間電圧がディジタル表示される。また、キーパッド１４にて対地間接点に切り替え、キーパッド１４の測定用釦を操作することで、表示面１８ａに、Ｒ−Ｅ接地間電圧、Ｓ−Ｅ接地間電圧、Ｔ−Ｅ接地間電圧がディジタル表示される。
【００１４】
検電器３４は、Ｒ相、Ｓ相、Ｔ相の各線からの入力信号に基づいて電流導通測定を行い、この導通測定値が、キーパッド１４の操作によって、表示面１８ａに表示される。動力回路を計測する場合には、三相交流電圧の検相を行う。検相器１６は、キーパッド１４の検相スイッチを押したときのみ、作動し、計測部６に入力された三相交流電圧に基づいて、検相処理を行い、その検相結果が表示部１６ａに表示される。
【００１５】
ＤＣ電圧を測定する場合には、テスター２２を用いる。テスター２２による測定値は、キーパッド１４の操作により、表示面１８ａに表示される。操作者は、本機のキーパッド１４より、測定機器等の名称を入力することができ、キーパッド１４よりＣＰＵ８に入力されたデータは、メモリ部２０に保管される。キーパッド１４から入力されたデータ、ＬＣＤ表示器１８に表示されたデータは、キーパッド１４を操作することによってメモリ部２０に保存可能であり、メモリ部２０に保存されたデータは、ＳＤカードやＵＳＢメモリに保存可能となっている。
【００１６】
また、データは、事前にメモリ部２０に入力済みデータに上書き保存することができる。測定日時は、ＣＰＵ８の制御により、自動入力されるように構成され、本機にはロガー機能が付いている。また、ＵＳＢポートにてＰＣと接続し、データの転送等が可能である。
上記の如く操作者は、本機を使用して電気設備の電圧測定を行うとき、三相交流電圧の充電部へのプラグの接触作業、Ｒ相、Ｓ相、Ｔ相への３回の高圧充電部への接触作業で済む。
【符号の説明】
【００１７】
２      測定用ジャック
４      ケーシング
６      計測部
８      ＣＰＵ
１２    ファンクションキー                       
１４    キーパッド
１４ａ  電源スイッチ
１６    検相器
１８    ＬＣＤ表示器
２０    メモリ部
２２    テスター
２４    カードスロット
２６    ＵＳＢポート
２８    ストラップ取付穴
３４    検電器
【図１】
0003200830.tif 000003
【図２】
0003200830.tif 000004
【図３】
0003200830.tif 000005
【図４】
0003200830.tif 000006